(57)【要約】【課題】  金属立柱を具えた組合せ式家具あって、該組合せ式家具にドアを取り付け可能として高級感を現出するのに用いられるドアのヒンジ装置の提供。【解決手段】  ドアに固定される固定手段、立柱に係止される係止座、係止座と接続される調整手段、調整手段と固定手段間に取り付けられる回転手段、バネ片、引張りバネを具え、そのうち、係止座が二つのフックで係止孔を具えた立柱に係止され、別に係止座と立柱との間にワッシャが設けられ、ネジ釘で該ワッシャを圧迫する方式で、係止座のフックで該立柱をきつく係止し、ドアを固定する。【選択図】        図６
2005139783.tif 000002
【特許請求の範囲】
【請求項１】
ドアに固定される固定手段、立柱に係止される係止座、係止座と接続される調整手段、調整手段と固定手段間に取り付けられる回転手段、バネ片、引張りバネを具えたドアのヒンジ装置において、
該係止座の内側に二つのフックが設けられ、その中央に隆起部が形成され、該隆起部の一端が該調整手段の一端に枢設され、該係止座が該二つのフックにより係止孔を具えた立柱に形成され、別に該係止座と立柱の間にワッシャが置かれ、並びに該係止座にねじ込まれたネジ釘により該ワッシャが圧迫されることで、該係止座のフックが緊密に該立柱を係止してドアを固定することを特徴とする、ドアのヒンジ装置。
【請求項２】
請求項１記載のドアのヒンジ装置において、係止座の隆起部の別端に凹口が設けられ、調整手段に環状溝を具えたネジ釘が螺設され、この環状溝を具えたネジ釘がその環状溝を以て係止座の隆起部の凹口内に係合されることを特徴とする、ドアのヒンジ装置。
【請求項３】
請求項１記載のドアのヒンジ装置において、ワッシャの立柱に当接する面が、立柱との間に、緊密で噛み合った当接を形成することを特徴とする、ドアのヒンジ装置。
【請求項４】
請求項３記載のドアのヒンジ装置において、ワッシャに二つの穿孔が設けられて係止座の内面の二つのフックの貫通に供されることを特徴とする、ドアのヒンジ装置。
【発明の詳細な説明】
【技術分野】
【０００１】
本発明は一種のドアのヒンジ装置に係り、特に、組合せ式家具専用のヒンジ装置であり、係止方式で金属管材に組み付けられ、その構造が簡単で、組み付けに便利で、組合せ式家具の最新設計とされる、ドアのヒンジ装置に関する。
【背景技術】
【０００２】
木製家具のドアはヒンジにより組み付けられ、ヒンジによりドアが開閉可能とされる。図１、２は周知のヒンジ装置１０であり、それは、ドア１８に固定される第１固定手段１１と、収容空間壁面に固定される第２固定手段１２と、第２固定手段に組み付けられる調整手段１３と、調整手段１３と第１固定手段１１を連結する回転手段１４と、バネ片１５と、引張りバネ１６とを具えている。そのうち、調整手段１３は第２固定手段１２にねじ込まれたネジ釘１７により制圧され、これにより該調整手段１３が固定されている。該回転手段１４の両端はそれぞれ第１固定手段１１、調整手段１３に枢設されている。該バネ片１５、引張りバネ１６及び回転手段１４の作用により、第１固定手段１１が該調整手段１３に対して回転し、並びに約９０度角度回転した後に自動定位する。すなわち、ドア１８が収容空間を封じる状態で位置決めされると共に、約９０度角度開放された状態で位置決めされる。
【０００３】
該ヒンジ装置１０は組み付け時に、該調整手段１３と第２固定手段１２間の間隙を調整して、ドア１８を水平状に接近させるようにしなければならない。その調整方法は、該調整手段１３を支持するもう一つのネジ釘１９を回す、というものである。もし該調整手段１３と該第２固定手段１２間の間隙を増加する必要があれば、ネジ釘１９を回して緩めなければならない。該ネジ釘１９を緩める前には必ずもう一つのネジ釘１７を緩めなければならない。図１、２に示される周知のヒンジ装置１０は市販されている構造のなかでは比較的簡単な設計であるが、組み付け後のその構造力は比較的低い。
【０００４】
このようなヒンジ装置１０はある時間使用すると、収容空間壁面の第２固定手段１２の固定に供されたネジ孔が損壊しやすく、このためヒンジ装置１０を正常に使用できなくなる。ヒンジ装置１０の固定位置を改変することはできないため、使用者は無理やりに使用し続けるしかない。ドアが正常に動作しなくなることが、このような家具に最初に発生しがちな問題である。
【発明の開示】
【発明が解決しようとする課題】
【０００５】
本発明は一種のドアのヒンジ装置を提供することを目的とし、それは、組合せ式家具専用のドアのヒンジ装置であり、金属立柱に係止されて使用され、即ち、金属立柱を具えた組合せ式家具に使用されて、組合せ式家具にドアを取り付けて高級感を出すのに用いられるものとする。
【０００６】
本発明はまた一種のドアのヒンジ装置を提供することを目的とし、それは、係止方式で立柱と結合され、着脱容易で、且つ係止部分に損壊を発生させる恐れがないものとする。
【０００７】
本発明はさらに一種のドアのヒンジ装置を提供することを目的とし、それは、ドアに固定される固定手段、立柱に係止される係止座、係止座に接合される調整手段、及び調整手段と固定手段の間に取り付けられる回転手段、バネ片、引張りバネを具え、そのうち、該係止座が二つのフックにより係止孔を具えた立柱に係止され、別に係止座と立柱の間にワッシャが取り付けられ、ネジ釘で該ワッシャを圧迫する方式により、係止座のフックが緊密に該立柱を係止してドアを固定するものとする。
【０００８】
本発明はまた一種のドアのヒンジ装置を提供することを目的とし、それは、調整手段の一端が係止座に枢設され、並びに調整ネジ釘によりそれと係止座間の間隙が調整されることで、ドアを調整する作用を達成するものとする。
【課題を解決するための手段】
【０００９】
請求項１の発明は、ドアに固定される固定手段、立柱に係止される係止座、係止座と接続される調整手段、調整手段と固定手段間に取り付けられる回転手段、バネ片、引張りバネを具えたドアのヒンジ装置において、
該係止座の内側に二つのフックが設けられ、その中央に隆起部が形成され、該隆起部の一端が該調整手段の一端に枢設され、該係止座が該二つのフックにより係止孔を具えた立柱に形成され、別に該係止座と立柱の間にワッシャが置かれ、並びに該係止座にねじ込まれたネジ釘により該ワッシャが圧迫されることで、該係止座のフックが緊密に該立柱を係止してドアを固定することを特徴とする、ドアのヒンジ装置としている。
請求項２の発明は、請求項１記載のドアのヒンジ装置において、係止座の隆起部の別端に凹口が設けられ、調整手段に環状溝を具えたネジ釘が螺設され、この環状溝を具えたネジ釘がその環状溝を以て係止座の隆起部の凹口内に係合されることを特徴とする、ドアのヒンジ装置としている。
請求項３の発明は、請求項１記載のドアのヒンジ装置において、ワッシャの立柱に当接する面が、立柱との間に、緊密で噛み合った当接を形成することを特徴とする、ドアのヒンジ装置としている。
請求項４の発明は、請求項３記載のドアのヒンジ装置において、ワッシャに二つの穿孔が設けられて係止座の内面の二つのフックの貫通に供されることを特徴とする、ドアのヒンジ装置としている。
【発明の効果】
【００１０】
本発明のドアのヒンジ装置は、最も簡単な構造設計により、ドアの金属立柱に係止され、且つヒンジ装置の全ての基礎機能を具備し、金属材料の組合せ式棚にドアを組み付け可能とし、このような棚の収容空間に閉じた空間を形成させることができる。また、本発明は係止位置がネジ山の脱落により損壊する状況を発生せず、新しい機能、新しい作用を現出する新規な設計である。
【発明を実施するための最良の形態】
【００１１】
図３を参照されたい。本発明のドアのヒンジ装置は、金属立柱２０に係止可能なヒンジ装置３０の構造を提供するもので、それは組合せ式棚に使用されて組合せ式棚にドア１８を具えた閉じた空間を形成させられるようにするものである。
【００１２】
図４、５、６に示されるように、本発明のドアのヒンジ装置は、ドア１８に固定される固定手段３１、立柱に係止される係止座３２、係止座３２に接合される調整手段３３、及び調整手段３３と固定手段３１の間に取り付けられる回転手段３４、バネ片３５、引張りバネ３６を具えている。そのうち、該係止座３２の内側に上下二つのフック３２１が設けられ、その中央に隆起部３２２が形成され、該隆起部３２２の一端が該調整手段３３の一端に枢設され、該隆起部３２２の別端に凹口３２３が設けられている。該係止座３２は二つのフック３２１により係止孔２１を具えた金属立柱２０に係止され、別に係止孔２１と立柱２０の間にワッシャ３７が設置され、並びに該係止孔２１にねじ込まれたネジ釘３２４で該ワッシャ３７が圧迫される方式により、該係止孔２１のフック３２１が緊密に立柱２０を係止し、ドア１８が固定され、これは図７に示されるとおりである。
【００１３】
上述の該調整手段３３と該固定手段３１の間を連結する回転手段３４、バネ片３５、引張りバネ３６は、周知の部品及び技術であり、ドア１８を収容空間を閉じた状態と、９０度開放された状態でそれぞれ位置決めすることができる。これは周知の構造であるため、説明を省略する。
【００１４】
上述の調整手段３３には環状溝３３２を具えたネジ釘３３１が螺設され、該ネジ釘３３１がその環状溝３３２を以て係止座３２の隆起部３２２の凹口３２３内に係合する。該ネジ釘３３１を回すことにより、該調整手段３３と該係止座３２の間の間隙を調整することができる。ドア１８は二つのヒンジ装置３０により取り付けられる。該ドア１８の取り付け固定後、調整手段３３と係止座３２の間の間隙を調整することで、ドア１８の収容空間を閉じた状態での水平角度を調整する必要がある。
【００１５】
該係止座３２の形は蓋体のようであり、その二つのフック３２１は加圧加工方式で形成される。該係止座３２の金属立柱２０と当接する面の周縁は該立柱２０の外形形状を模倣し、これにより組合せ後に噛み合った当接状態を形成する。
【００１６】
上述のワッシャ３７はプラスチック材料で形成され、僅かに圧縮性を具備する。該ワッシャ３７の立柱２０と当接する面は、立柱２０との間に緊密で、噛み合った当接状態を形成できる。該ワッシャ３７には二つの穿孔３７１が設けられて係止座３２内面のフック３２１の貫通に供され、該ワッシャ３７が先に係止座３２に係止されることで、ヒンジ装置３０の取り付けに更に有利となる。その間、ワッシャ３７を圧迫するネジ釘３２４は該係止座３２に螺設され、該調整手段３３のネジ釘３２４に対応する位置に長孔３３３が設けられてネジ釘３２４を通して係止座３２の隆起部３２２のネジ孔３２５にねじ込むのに供され、これによりネジ釘３２４がワッシャ３７に対して圧迫作用を発生する。ワッシャ３７の立柱２０と当接する一面には凸点３７２が凸設され、これは図４及び図７に示されるとおりである。該ワッシャ３７と立柱２０が緊密に当接する時、該凸点３７２はちょうど立柱２０の係止孔２１内に嵌入し、安定した係止作用を提供する。
【００１７】
上述のヒンジ装置３０の構造の最大の特徴は、係止方式で金属立柱２０に取り付けられて、これにより組合せ式棚（図示せず）にドア１８を取り付け可能とすることにある。また、該ヒンジ装置３０と立柱２０の間は簡単に分解、組付けが可能で、且つドア１８が脱落する状況を発生しない。該ヒンジ装置３０は同一位置で長期固定可能で、且つ使用上の変更に対応して随意にドア１８の位置を改変できる。
【図面の簡単な説明】
【００１８】
【図１】周知の技術の外観図である。
【図２】図１の分解図である。
【図３】本発明の外観図である。
【図４】本発明の分解図である。
【図５】本発明の断面図である。
【図６】本発明を金属立柱に係止した状態の外観図である。
【図７】図５の７−７断面図である。
【符号の説明】
【００１９】
１０  ヒンジ装置                        １１  第１固定手段
１２  第２固定手段                      １３  調整手段
１４  回転手段                          １５  バネ片
１６  引張りバネ                        １７  ネジ釘
１８  ドア                              １９  ネジ釘
２０  立柱                              ２１  係止孔
３０  ヒンジ装置                        ３１  固定手段
３２  係止座                            ３２１  フック
３２２  隆起部                          ３２３  凹口
３２４  ネジ釘                          ３２５  ネジ孔
３３  調整手段                          ３３１  ネジ釘
３３２  環状溝                          ３３３  長孔
３４  回転手段                          ３５  バネ片
３６  引張りバネ                        ３７  ワッシャ
３７１  穿孔                            ３７２  凸点
【図１】
2005139783.tif 000003
【図２】
2005139783.tif 000004
【図３】
2005139783.tif 000005
【図４】
2005139783.tif 000006
【図５】
2005139783.tif 000007
【図６】
2005139783.tif 000008
【図７】
2005139783.tif 000009